(57)【要約】【課題】本体枠と、該本体枠の前面に前方へ回動可能に軸支された前面枠を備える遊技機において、前面枠を確実に閉鎖できるようにする。【解決手段】前面枠１２０を開放した状態における、上係合部材１８１の受入開口部１８１ｄの後端１８１ｅと、該上係合部材１８１と係合する上被係合部材１１１ａの後端との前面枠１２０の閉鎖方向に沿った距離を、下係合部材１８２の受入開口部１８２ｄの後端１８２ｅと、該下係合部材１８２と係合する下被係合部材１１１ｂの後端との前面枠１２０の閉鎖方向に沿った距離よりも短くする。【選択図】図８
2011235138.tif 000002
【特許請求の範囲】
【請求項１】
本体枠と、該本体枠の前面に前方へ回動可能に軸支された前面枠を備える遊技機において、
前記前面枠の開放端側の裏面に係合手段を設けるとともに、前記本体枠における前記係合手段と対向する位置に被係合部材を設け、前記係合手段が前記被係合部材に係合することで前記前面枠の閉状態が維持されるように構成され、
前記係合手段は、
鍵により解錠操作される錠と、
一側端側に前記被係合部材を受け入れる受入開口部を有する係合凹部を備え、該係合凹部が前記被係合部材と係合可能な係合可能位置と、該係合凹部が前記被係合部材と係合不能な非係合位置との間で連動する複数の係合部材と、
該係合部材を前記係合可能位置方向へ付勢する付勢手段と、
前記錠と複数の前記係合部材とを接続するように配され、前記錠の解錠操作に応じて全ての前記係合部材を前記非係合位置に連動させる解錠伝達機構と、
を備え、
複数の前記係合部材は、前記前面枠の上部に位置する上係合部材と、前記前面枠の下部に位置する下係合部材とを備え、
前記被係合部材は、前記上係合部材と係合する上被係合部材と、前記下係合部材と係合する下被係合部材とを備え、
前記前面枠を開放した状態における、前記上係合部材の前記受入開口部の後端と前記上被係合部材の後端との前記前面枠の閉鎖方向に沿った距離が、前記下係合部材の前記受入開口部の後端と前記下被係合部材の後端との前記前面枠の閉鎖方向に沿った距離よりも短いことを特徴とする遊技機。
【発明の詳細な説明】
【技術分野】
【０００１】
本発明は、本体枠と、該本体枠の前面に前方へ回動可能に軸支された前面枠を備える遊技機に関する。
【背景技術】
【０００２】
従来の鍵ユニットでは上係合部材と下係合部材が連動しており、例えば、一方の係合部材を操作することにより他方の係合部材も連動して動き、不正目的に前面枠を開放されることがあった。このような問題から、上下係合部材が連動せず、別々に動作する鍵ユニットが考えられている（例えば、特許文献１参照）。また、最近は、様々な可動役物や大型の液晶表示装置等が取り付けられ前面枠の重量が増しており、さらには、前面枠が樹脂製の枠となり以前に全体的に湾曲しやすくなっている。
【先行技術文献】
【特許文献】
【０００３】
【特許文献１】特開２００２−３０１２５１号公報
【発明の概要】
【発明が解決しようとする課題】
【０００４】
前面枠に対して、大型の液晶表示装置や可動役物などを備えた重い遊技盤を取り付けたことで、前面枠が上下で湾曲している場合は、上係合部材のみが閉まらない状態が起きる可能性がある。そうすると、その隙間から針金等を挿入し球を出す等の不正行為を行われる可能性がある。
【０００５】
本発明の目的は、本体枠と、該本体枠の前面に前方へ回動可能に軸支された前面枠を備える遊技機において、前面枠を確実に閉鎖できるようにすることである。
【課題を解決するための手段】
【０００６】
以上の課題を解決するため、請求項１に記載の発明は、本体枠と、該本体枠の前面に前方へ回動可能に軸支された前面枠を備える遊技機において、
前記前面枠の開放端側の裏面に係合手段を設けるとともに、前記本体枠における前記係合手段と対向する位置に被係合部材を設け、前記係合手段が前記被係合部材に係合することで前記前面枠の閉状態が維持されるように構成され、
前記係合手段は、
鍵により解錠操作される錠と、
一側端側に前記被係合部材を受け入れる受入開口部を有する係合凹部を備え、該係合凹部が前記被係合部材と係合可能な係合可能位置と、該係合凹部が前記被係合部材と係合不能な非係合位置との間で連動する複数の係合部材と、
該係合部材を前記係合可能位置方向へ付勢する付勢手段と、
前記錠と複数の前記係合部材とを接続するように配され、前記錠の解錠操作に応じて全ての前記係合部材を前記非係合位置に連動させる解錠伝達機構と、
を備え、
複数の前記係合部材は、前記前面枠の上部に位置する上係合部材と、前記前面枠の下部に位置する下係合部材とを備え、
前記被係合部材は、前記上係合部材と係合する上被係合部材と、前記下係合部材と係合する下被係合部材とを備え、
前記前面枠を開放した状態における、前記上係合部材の前記受入開口部の後端と前記上被係合部材の後端との前記前面枠の閉鎖方向に沿った距離が、前記下係合部材の前記受入開口部の後端と前記下被係合部材の後端との前記前面枠の閉鎖方向に沿った距離よりも短いことを特徴とする。
【０００７】
請求項１に記載の発明によれば、前面枠を開放した状態における、上係合部材の受入開口部の後端と、該上係合部材と係合する上被係合部材の後端との前面枠の閉鎖方向に沿った距離が、下係合部材の受入開口部の後端と、該下係合部材と係合する下被係合部材の後端との前面枠の閉鎖方向に沿った距離よりも短いので、上係合部材が下係合部材よりも先に係合するようになり、前面枠の下隅部に設けられるハンドル辺りを持って閉鎖しても確実に閉鎖できる。
【発明の効果】
【０００８】
本発明によれば、前面枠を開放した状態における上係合部材の受入開口部の後端と、該上係合部材と係合する上被係合部材の後端との前面枠の閉鎖方向に沿った距離が、下係合部材の受入開口部の後端と、該下係合部材と係合する下被係合部材の後端との前面枠の閉鎖方向に沿った距離よりも短いので、上係合部材が下係合部材よりも先に係合するようになり、前面枠の下隅部に設けられるハンドル辺りを持って閉鎖しても確実に閉鎖できる。
【図面の簡単な説明】
【０００９】
【図１】本発明を適用した一実施の形態の構成を示す遊技機の正面図である。
【図２】遊技機の前面側から見た斜視図であって、前面枠本体、クリア部材保持枠を開放した状態を示す図である。
【図３】本体枠の前面側から見た斜視図である。
【図４】前面枠本体の裏面側から見た斜視図である。
【図５】施錠装置の裏面側から見た斜視図である。
【図６】施錠装置の裏面側から見た斜視図であって、不正防止カバーを取り外した状態を示す図である。
【図７】施錠装置の裏面側から見た分解斜視図であって、機構部を分解した図である。
【図８】本体枠に対して前面枠を開放した状態における、上係合部材が設けられた部分と、下係合部材が設けられた部分の側面から見た部分拡大図である。
【図９】第１変形例の遊技機を示す図であって、本体枠に対して前面枠を開放した状態における、上係合部材が設けられた部分と、下係合部材が設けられた部分の側面から見た部分拡大図である。
【図１０】第２変形例の遊技機を示す図であって、本体枠に対して前面枠を開放した状態における、上係合部材が設けられた部分と、下係合部材が設けられた部分の側面から見た部分拡大図である。
【図１１】第３変形例の遊技機を示す図であって、本体枠に対して前面枠を閉鎖した状態における、上係合部材が設けられた部分と、下係合部材が設けられた部分の側面から見た部分拡大図である。
【図１２】第４変形例の遊技機を示す図であって、本体枠に対して前面枠を開放した状態における、上係合部材が設けられた部分と、下係合部材が設けられた部分の側面から見た部分拡大図である。
【発明を実施するための形態】
【００１０】
以下、この発明の実施形態について図面を参照して説明する。
ここでは、本発明にかかる遊技機の適例としてのパチンコ遊技機について説明を行う。
【００１１】
図１から４に示すように、本実施形態の遊技機１００は、矩形枠状に構成された本体枠１１０を備えている。この矩形枠状の本体枠１１０は、図３に示すように、前面側から見て右側の一辺が金属製とされ、その他の辺は木製となっている。これによって、前面側から見て右側の一辺においては、強度を保ったまま厚みを薄くできるようになっている。また、この金属製の一辺の内周には、係合手段をなす施錠装置１６０により前面枠１２０を本体枠１１０に対して回動できない状態に施錠するための被係合部材１１１が設けられている。このような本体枠１１０に、矩形枠状の前面枠１２０が前面側から見て左側の側部が該本体枠１１０に対して前方向へ扉状に回動可能となるように軸着されている。
【００１２】
図１，２に示すように、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、クリア部材保持枠の下側に取り付けられた発射操作を行うための発射操作ユニット１５０とを有する。
【００１３】
前面枠本体１３０は、矩形枠状の本体枠１１０の前面側をちょうど覆うような概略矩形板状に構成され、裏面側から見た右側の側部が本体枠１１０に対して前方向へ扉状に回動可能となるように軸着されている。また、図４に示すように、このように軸着される前面枠本体１３０の開放端側となる裏面側から見た左側の側部には施錠装置１６０が設けられている。また、前面枠本体１３０の中央から上端部にわたる部分には、図示しない遊技盤を嵌め込んで収容するための方形状の開口部１３１が形成されている。そして、前面枠本体１３０に収容された遊技盤の前面が前面枠本体１３０の開口部から前側に臨むようになっている。すなわち遊技盤は、前面枠本体１３０に嵌め込まれることで前面枠１２０に取り付けられている。
【００１４】
この前面枠本体１３０の遊技盤が嵌め込まれる開口部１３１、すなわち、前面枠本体１３０の中央より少し下側から上端部にわたる部分には、図２に示すように、前面枠本体１３０の前側を覆うようにクリア部材保持枠１４０が配置されている。そして、遊技盤の前面とクリア部材保持枠１４０に嵌め込まれたクリア部材としてのガラス板１４１との間であって、図示しない遊技盤の前面に設けられたガイドレールに囲まれた部分が、遊技球が発射されて流下する遊技領域とされ、この遊技領域内に遊技球（打球；遊技媒体）を発射して遊技を行うようになっている。すなわち、クリア部材保持枠１４０において、遊技機１００の前側からガラス板１４１を介して遊技盤の前面側の少なくとも遊技領域の部分が視認可能となっている。
【００１５】
図１，２に示すように、クリア部材保持枠１４０は、一方の側部（遊技機１００の前面側から見て左側の側部）が前面枠本体１３０の一方の側部に回動可能に軸支されて扉状に開閉自在とされ、クリア部材保持枠１４０を開くことにより、遊技盤の前面側の遊技領域の前側を開放可能となっている。また、クリア部材保持枠１４０の前面であって、ガラス板１４１が固定されて遊技領域を視認可能とする部分の周囲には、枠装飾装置としての装飾ランプ・ＬＥＤ１４４、音声を出力するスピーカ１４５，１４５などが設けられている。また、前面枠本体１３０に軸着されたクリア部材保持枠１４０の開放端側となる前面側から見て右側の端部の前面には、施錠装置１６０の錠１７５の前端が配され、この前端には鍵穴が形成されている。
【００１６】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４が設けられている。また灰皿１５５や、遊技領域に向けての遊技球の発射操作を行うとともに、発射勢を調節するための操作ハンドル１５６、音声を出力するスピーカ１５７などが設けられている。
【００１７】
また、図２に示すように、前面枠本体１３０の裏面側には、遊技機１００としての諸機能を実現するための機構として、例えば、島設備より供給される遊技球を貯留する貯留タンク（図示略）や、球貸要求に応じた球排出や賞球排出を行う排出装置１０２や、遊技盤に設けられた各種入賞口へ入賞して回収された遊技球や何れの入賞口にも入賞せずにアウト口から回収された遊技球を機外の回収球搬送路へ導く遊技球回収機構などが設けられている。また、球排出や打球の発射制御を行う排出・発射制御装置１０３、各部へ所定の電源を供給する電源装置１０４等が設けられている。なお、遊技盤に設けた遊技装置の動作制御などを行うことで遊技の進行を統括的に制御する遊技制御装置は、遊技盤の裏面に取り付けられている。
【００１８】
図２，４に示すように、前面枠本体１３０の裏面の開放端側に取り付けられる施錠装置１６０は、図５から８に示すように、前面枠本体１３０に固定されるベース部材１６１と、該ベース部材１６１に取り付けられた機構部１７０、不正防止カバー１９０とを備える。この施錠装置１６０は、本体枠１１０に対する前面枠１２０の施錠、解錠や、前面枠本体１３０に対するクリア部材保持枠１４０の施錠、解錠を行うためのものである。
【００１９】
図７に示すように、ベース部材１６１は、前壁部１６１ａと、該前壁部１６１ａの側端に垂直に形成された側壁部１６１ｂとを備えるＬ字状の部材で、機構部１７０や不正防止カバー１９０を所定の位置に取り付けるための位置決め部や固定部などが多数形成されている。このＬ字状のベース部材１６１は、前壁部１６１ａにおける、側壁部１６１ｂが延出する面の裏面が左右方向に沿うように前面枠本体１３０の裏面に密着するように配されて、側壁部１６１ｂが前壁部１６１ａにおける前面枠本体１３０の中央側の側端から、前後方向に沿って後方に延出するようになっている。また、前壁部１６１ａと側壁部１６１ｂの接合部分が上下方向に沿って配されるようになっており、前壁部１６１ａ及び側壁部１６１ｂは垂直に配されるようになっている。
【００２０】
機構部１７０は、該機構部１７０をベース部材１６１に固定する上部支持部材１７１、下部支持部材１７２と、本体枠１１０に対して前面枠１２０を施錠する前面枠施錠部１８０と、前面枠本体１３０に対してクリア部材保持枠１４０を施錠するクリア部材保持枠施錠部１７４と、前面枠施錠部１８０及びクリア部材保持枠施錠部１７４の施錠を解除するための錠１７５とを備える。
【００２１】
上部支持部材１７１は機構部１７０の上端部に設けられており、前壁部１６１ａの裏面に固定する固定部１７１ａを備えるとともに、側壁部１６１ｂに沿って配されて後述する上係合部材１８１を支持する支持部１７１ｂを備える。また、下部支持部材１７２は、機構部１７０の下端部に設けられており、前壁部１６１ａの裏面に固定する固定部１７２ａを備えるとともに、側壁部１６１ｂに沿って配されて後述する下係合部材１８２を支持する支持部１７２ｂを備える。
【００２２】
前面枠施錠部１８０は、本体枠１１０に設けられた被係合部材１１１に係合する上係合部材１８１及び下係合部材１８２と、上係合部材１８１及び下係合部材１８２を連動して解錠動作するための連動部１８３とを備える。上係合部材１８１は、本体枠１１０に設けられた被係合部材１１１に係合する切欠き状の係合凹部１８１ａと、上部支持部材１７１により回動可能に軸支される軸支部１８１ｂ、該軸支部１８１ｂを軸支する軸と平行な軸を介して連動部１８３の上側部分をなす上連動部１８４の上端と回動可能に接続される接続部１８１ｃとを備える。
【００２３】
図８に示すように、この上係合部材１８１は、上部支持部材１７１がベース部材１６１に固定された状態では、ベース部材１６１の側壁部１６１ｂに沿って前方から軸支部１８１ｂ、接続部１８１ｃ、係合凹部１８１ａの順に並ぶように配されている。そして、接続部１８１ｃに接続した上連動部１８４を動作することで、軸支部１８１ｂを中心に上下に回動可能となっている。この上係合部材１８１に形成された係合凹部１８１ａは、上係合部材１８１の一側端である下端部に、被係合部材１１１を受け入れる受入開口部１８１ｄが開口する凹部で、側壁部１６１ｂの後端よりも後方に位置するように配される。このような係合凹部１８１ａを備えることで上係合部材１８１は、本体枠１１０に設けられた被係合部材１１１に対して上側から係合可能となっている。なお、被係合部材１１１のうち、上係合部材１８１が係合する被係合部材１１１が上被係合部材１１１ａをなす。
【００２４】
また、軸支部１８１ｂを中心に上下に回動可能となっている上係合部材１８１の回動範囲は、係合凹部１８１ａが上被係合部材１１１ａと係合可能な係合可能位置と、係合凹部１８１ａが上被係合部材１１１ａと係合不能な非係合位置との間とされている。係合可能位置は、上下の回動範囲における下端の位置であって、係合凹部１８１ａの受入開口部１８１ｄが、上被係合部材１１１ａの上端部よりも下側となるような位置である。また、非係合位置は、上下の回動範囲における上端の位置であって、係合凹部１８１ａの受入開口部１８１ｄにおける上被係合部材１１１ａに近い側の端部である後端１８１ｅが、上被係合部材１１１ａの上端部よりも上側となるような位置である。
【００２５】
また、上係合部材１８１の後端部には、前方に向かって下る傾斜面である後端傾斜部１８１ｆが形成されている。この後端傾斜部１８１ｆの上端（後端）は、上係合部材１８１が係合可能位置にある状態で、上被係合部材１１１ａの上端よりも上側に位置し、後端傾斜部１８１ｆの下端（前端）は受入開口部１８１ｄの後端１８１ｅに接続するように形成されている。この後端傾斜部１８１ｆによって、後述するように、前面枠１２０の閉鎖時において受入開口部１８１ｄの後端１８１ｅが上被係合部材１１１ａを乗り越えるように案内され、上係合部材１８１と上被係合部材１１１ａとが係合するようになる。
【００２６】
また、下係合部材１８２は上係合部材１８１と同様の構成を有しており、本体枠１１０に設けられた被係合部材１１１に係合する切欠き状の係合凹部１８２ａと、下部支持部材１７２により回動可能に軸支される軸支部１８２ｂ、該軸支部１８２ｂを軸支する軸と平行な軸を介して連動部１８３の下側部分をなす下連動部１８６の下端と回動可能に接続される接続部１８２ｃとを備える。
【００２７】
この下係合部材１８２は、下部支持部材１７２がベース部材１６１に固定された状態では、ベース部材１６１の側壁部１６１ｂに沿って前方から軸支部１８２ｂ、接続部１８２ｃ、係合凹部１８２ａの順に並ぶように配されている。そして、接続部１８２ｃに接続した下連動部１８６を動作することで、軸支部１８２ｂを中心に上下に回動可能となっている。この下係合部材１８２に形成された係合凹部１８２ａは、下係合部材１８２の一側端である下端部に、被係合部材１１１を受け入れる受入開口部１８２ｄが開口する凹部で、側壁部１６１ｂの後端よりも後方に位置するように配される。このような係合凹部１８２ａを備えることで下係合部材１８２は、本体枠１１０に設けられた被係合部材１１１に対して上側から係合可能となっている。なお、被係合部材１１１のうち、下係合部材１８２が係合する被係合部材１１１が下被係合部材１１１ｂをなす。
【００２８】
また、軸支部１８２ｂを中心に上下に回動可能となっている下係合部材１８２の回動範囲は、係合凹部１８２ａが下被係合部材１１１ｂと係合可能な係合可能位置と、係合凹部１８２ａが下被係合部材１１１ｂと係合不能な非係合位置との間とされている。係合可能位置は、上下の回動範囲における下端の位置であって、係合凹部１８２ａの受入開口部１８２ｄが、下被係合部材１１１ｂの上端部よりも下側となるような位置である。また、非係合位置は、上下の回動範囲における上端の位置であって、係合凹部１８２ａの受入開口部１８２ｄにおける下被係合部材１１１ｂに近い側の端部である後端１８２ｅが、下被係合部材１１１ｂの上端部よりも上側となるような位置である。
【００２９】
また、下係合部材１８２の後端部には、前方に向かって下る傾斜面１８２ｆが形成されている。この傾斜面１８２ｆの上端（後端）は、下係合部材１８２が係合可能位置にある状態で、下被係合部材１１１ｂの上端よりも上側に位置し、傾斜面１８２ｆの下端（前端）は受入開口部１８２ｄの後端１８２ｅに接続するように形成されている。この傾斜面１８２ｆによって、後述するように、前面枠１２０の閉鎖時において受入開口部１８２ｄの後端１８２ｅが下被係合部材１１１ｂを乗り越えるように案内され、下係合部材１８２と下被係合部材１１１ｂとが係合するようになる。
【００３０】
また、上係合部材１８１に形成された係合凹部１８１ａの受入開口部１８１ｄの後端１８１ｅは、下係合部材１８２に形成された係合凹部１８２ａの受入開口部１８２ｄの後端１８１ｅよりも（図８に示すａの距離の分だけ）後方に位置するようになっている。これにより、上係合部材１８１が下係合部材１８２よりも先に被係合部材１１１に係合し、前面枠１２０の不完全な閉鎖を防止することができる。なお、詳細については後述する。
【００３１】
図７に示すように、連動部１８３は、上部に配される上連動部１８４と、該上連動部１８４の下部に接続する中連動部１８５と、該中連動部１８５の下部に接続する下連動部１８６とからなり、側壁部１６１ｂに沿うように上下方向に沿って配されている。
【００３２】
上連動部１８４は、上端が上述したように上係合部材１８１の接続部１８１ｃと軸を介して接続している。また、下端には上下に延在する長孔１８４ａが形成されており、この長孔１８４ａに中連動部１８５側に形成された接続軸１８５ａを挿通することで中連動部１８５とスライド可能に接続されている。この上連動部１８４と中連動部１８５の接続部は、上係合部材１８１が係合可能位置にある状態では、長孔１８４ａの上端に接続軸１８５ａが位置するようになっている。よって、この状態から、中連動部１８５を上方に動作することで、上連動部１８４を上方に動作でき、上係合部材１８１を非係合位置に回動できるようになっている。
【００３３】
また、上連動部１８４の後端部には、本体枠１１０に設けられた被係合部材１１１に対して上側から係合可能な板状の係合部１８４ｂが形成されている。なお、被係合部材１１１のうち、係合部１８４ｂが係合する被係合部材１１１が中被係合部材１１１ｃをなす。この係合部１８４ｂは上連動部１８４を動作することで上下動するものであり、その移動範囲は、係合部１８４ｂが中被係合部材１１１ｃと係合可能な係合可能位置と、係合部１８４ｂが中被係合部材１１１ｃと係合不能な非係合位置との間とされている。係合可能位置は、上下の移動範囲における下端の位置であって、係合部１８４ｂの下端が中被係合部材１１１ｃの上端部よりも下側となるような位置である。また、非係合位置は、上下の移動範囲における上端の位置であって、係合部１８４ｂの下端が中被係合部材１１１ｃの上端部よりも上側となるような位置である。よって、中連動部１８５を上方に動作して上連動部１８４を上方に動作することで、係合部１８４ｂが非係合位置に移動するようになっている。
【００３４】
下連動部１８６は、下端が上述したように下係合部材１８２の接続部１８２ｃと軸を介して接続している。また、上端には上下に延在する長孔１８６ａが形成されており、この長孔１８６ａに中連動部１８５側に形成された接続軸１８５ｂを挿通することで中連動部１８５とスライド可能に接続されている。この下連動部１８６と中連動部１８５の接続部は、下係合部材１８２が係合可能位置にある状態では、長孔１８６ａの上端に接続軸１８５ｂが位置するようになっている。よって、この状態から、中連動部１８５を上方に動作することで、下連動部１８６を上方に動作でき、下係合部材１８２を非係合位置に回動できるようになっている。
【００３５】
中連動部１８５は上述したように、上端に上連動部１８４と接続するための接続軸１８５ａが延在方向に対して垂直に形成され、下端に下連動部１８６と接続するための接続軸１８５ｂが延在方向に対して垂直に形成されている。また、中連動部１８５における後述の錠１７５に隣接して配される位置には、錠１７５のカム１７５ｄに形成された第１係合部と係合する第１カム係合部１８５ｃが形成されている。
【００３６】
このような連動部１８３は、外部から力が加わっていない状態では、上係合部材１８１、下係合部材１８２、上連動部１８４の係合部１８４ｂが、本体枠１１０に設けられた被係合部材１１１に係合可能な係合可能位置に位置するように、図示しない付勢手段により付勢されている。そして、この状態から後述する錠１７５のカム１７５ｄに形成された第１係合部が、第１カム係合部１８５ｃを上方に押し上げることで中連動部１８５が上方へ動作し、これに伴い中連動部１８５に接続した上連動部１８４と下連動部１８６も上方に動作する。そして、上係合部材１８１、下係合部材１８２、上連動部１８４の係合部１８４ｂが、本体枠１１０に設けられた被係合部材１１１と係合不能な非係合位置に移動する。これにより、本体枠１１０に設けられた被係合部材１１１との係合が解除され、前面枠１２０を本体枠１１０に対して開放することができるようになっている。
【００３７】
なお、上連動部１８４と中連動部１８５の接続部１８７は、上係合部材１８１が被係合部材１１１に係合している状態では長孔１８４ａの上端に接続軸１８５ａが位置しており、この状態で上係合部材１８１を非係合位置に回動（上連動部１８４を上方へ移動）しても、接続軸１８５ａに対して長孔１８４ａが上方に移動するため上連動部１８４、係合部１８４ｂのみが非係合位置に移動することとなる。また、下連動部１８６と中連動部１８５の接続部１８８も、下係合部材１８２が被係合部材１１１に係合している状態では長孔１８６ａの上端に接続軸１８５ｂが位置しており、この状態で下係合部材１８２を非係合位置に回動（下連動部１８６を上方へ移動）しても、接続軸１８５ｂに対して長孔１８６ａが上方に移動するため下連動部１８６のみが非係合位置に移動することとなる。
【００３８】
つまり、中連動部１８５を上方に動作した場合のみ上連動部１８４と下連動部１８６が同時に上方へ移動して、上係合部材１８１、下係合部材１８２を非係合位置に回動する。これにより、上係合部材１８１、下係合部材１８２、上連動部１８４の係合部１８４ｂと、本体枠１１０に設けられた被係合部材１１１との係合が同時に解除され、前面枠１２０を本体枠１１０に対して開放することができるようになっている。よって、不正に上連動部１８４や上係合部材１８１が操作されても、上係合部材１８１と、上連動部１８４に形成された係合部１８４ｂの係合が解除されるが、下係合部材１８２の係合は解除されず、前面枠１２０を本体枠１１０に対して開放することができないようになっている。同様に、不正に下連動部１８６や下係合部材１８２が操作されても、下係合部材１８２の係合が解除されるが、上係合部材１８１と、上連動部１８４に形成された係合部１８４ｂの係合は解除されず、前面枠１２０を本体枠１１０に対して開放することができないようになっている。
【００３９】
また、後述するように、本体枠１１０に対して開放した状態の前面枠１２０を、本体枠１１０方向に押し込めば、上係合部材１８１、下係合部材１８２、上連動部１８４の係合部１８４ｂが、本体枠１１０に設けられた被係合部材１１１と係合し、自動的に施錠された状態となる。このとき、接続部１８７，１８８を備えることで、上連動部１８４と下連動部１８６が独立して動作可能であるので、上係合部材１８１および係合部１８４ｂと、下係合部材１８２と、が独立して（異なるタイミングで）被係合部材１１１と係合可能となる。
【００４０】
すなわち、連動部１８３が、錠１７５と複数の係合部材（上係合部材１８１、下係合部材１８２）とを接続するように配され、錠１７５の解錠操作に応じて全ての係合部材を非係合位置に回動させる解錠伝達機構をなす。また、上連動部１８４と中連動部１８５の接続部１８７、下連動部１８６と中連動部１８５の接続部１８８が、一の係合部材が操作されて非係合位置へ回動されても、他の係合部材が連動して非係合位置に回動しないようにする伝達遮断機構をなす。
【００４１】
クリア部材保持枠施錠部１７４は、連動部１８３に沿って上下に延在するように配される本体部１７４ａと、該本体部１７４ａに形成され、クリア部材保持枠１４０に設けられた被係合部に係合するクリア部材保持枠係止部１７４ｂと、を備える。
【００４２】
クリア部材保持枠係止部１７４ｂは、本体部１７４ａの前端部から前方へ延出するように形成されており、前壁部１６１ａに形成されたスリット状の貫通孔１６２を貫通して、前面枠本体１３０の前方へ延出するように配されるようになっている。そして、前面枠本体１３０の前方へ延出する部分には、クリア部材保持枠１４０に設けられた被係合部（図示略）に対して下側から係合するように上方に開口する切欠き状の係合部１７４ｃが形成されている。また、本体部１７４ａにおける後述の錠１７５に隣接して配される位置であって、連動部１８３の第１カム係合部１８５ｃに隣接して配される部分には、錠１７５のカム１７５ｄに形成された第２係合部と係合する第２カム係合部１７４ｄが形成されている。
【００４３】
このようなクリア部材保持枠施錠部１７４は、外部から力が加わっていない状態では、クリア部材保持枠係止部１７４ｂがクリア部材保持枠１４０に設けられた被係合部に係合可能な状態となるように、図示しない付勢手段により付勢されている。そして、この状態から、後述する錠１７５のカム１７５ｄに形成された第２係合部が、第２カム係合部１７４ｄを下方に押し下げることで下方に動作し、クリア部材保持枠係止部１７４ｂとクリア部材保持枠１４０に設けられた被係合部との係合が解除され、クリア部材保持枠１４０を前面枠本体１３０に対して開放できるようになっている。
【００４４】
また、本体部１７４ａの後端部であって上下方向の中央部分には、クリア部材保持枠開放操作部１７４ｅが形成されている。このクリア部材保持枠開放操作部１７４ｅは、中連動部１８５の後端部に形成された切欠き状の配設部１８５ｄに配設され、前面枠１２０の裏面側からクリア部材保持枠施錠部１７４を操作可能とするもので、本体枠１１０に対し前面枠１２０を開放した状態においてクリア部材保持枠１４０を前面枠１２０に対して開放する際に使用する。また、このクリア部材保持枠開放操作部１７４ｅに対して、前面枠本体１３０の開放端側となる側方と上下を覆うようにカバー部材１７６が設けられている。さらに、クリア部材保持枠開放操作部１７４ｅの後方には、後述する中央部不正防止カバー１９２が取り付けられるようになっており、クリア部材保持枠開放操作部１７４ｅに対する不正な操作を防止するようになっている。
【００４５】
錠１７５は、前端に鍵穴が形成されたシリンダ部１７５ａと、前壁部１６１ａに固定するための固定部１７５ｃと、前面枠施錠部１８０の第１カム係合部１８５ｃ及びクリア部材保持枠施錠部１７４の第２カム係合部１７４ｄと係合するカム１７５ｄと、解錠可能な鍵を変更するためのリセット操作部材１７５ｅとを備える。
【００４６】
シリンダ部１７５ａは、前壁部１６１ａに形成されたシリンダ部挿通部１６３に裏面側から挿通されて前面枠本体１３０の前方へ延出し、前端が前面枠１２０の前端に位置するようになっている。また、シリンダ部１７５ａの後端部に形成された固定部１７５ｃがシリンダ部挿通部１６３の周縁に係止されることで、シリンダ部１７５ａが所定の前後位置に配されるようになっている。そして、この固定部１７５ｃを前壁部１６１ａの裏面に固定することで錠１７５がベース部材１６１に固定されるようになっている。
【００４７】
また、シリンダ部１７５ａの前端には鍵穴が形成されており、予め設定された鍵を鍵穴に挿入して回すことで、錠１７５の裏面に設けられたカム１７５ｄが同じ方向へ回るようになっている。このカム１７５ｄは、前面枠施錠部１８０及びクリア部材保持枠施錠部１７４が配された側である側壁部１６１ｂ側に延出するように形成されている。上述したように、前面枠施錠部１８０及びクリア部材保持枠施錠部１７４は重なって配されており、カム１７５ｄには延出幅が短い第１係合部と、延出幅の長い第２係合部が形成されている。そして、第１係合部は錠１７５側から見て手前側に位置する前面枠施錠部１８０の第１カム係合部１８５ｃに係合可能であり、第２係合部は奥側に位置するクリア部材保持枠施錠部１７４の第２カム係合部１７４ｄに係合可能となっている。
【００４８】
第１係合部は、鍵穴に挿入した鍵を前面側から見て時計回り方向に回すことで上方へ回動し、前面枠施錠部１８０に形成された第１カム係合部１８５ｃの上側の周縁に係合して中連動部１８５を上方に押し上げるようになっている。このとき、第２係合部は他の部分と係合しないようになっている。これにより、本体枠１１０に対して前面枠１２０を開放可能となる。また、第２係合部は、鍵穴に挿入した鍵を前面側から見て反時計回り方向に回すことで下方へ回動し、クリア部材保持枠施錠部１７４に形成された第２カム係合部１７４ｄの下側の周縁に係合して本体部１７４ａを下方に押し下げるようになっている。このとき、第１係合部は他の部分と係合しないようになっている。これにより、前面枠本体１３０に対してクリア部材保持枠１４０を開放可能となる。
【００４９】
リセット操作部材１７５ｅは、前壁部１６１ａに取り付けられる錠１７５の裏面上部に配され、下方に押下可能なスイッチである。このリセット操作部材１７５ｅは、解錠可能な鍵を変更する際に用いるもので、新たに設定する鍵を鍵穴に挿入し、リセット操作部材１７５ｅを下方に押下した状態で鍵を回すことで、解錠可能な鍵がその鍵に変更される。
【００５０】
図５に示すように、機構部１７０の後方側には、機構部１７０に対する不正な操作を防止するための不正防止カバー１９０が取り付けられている。この不正防止カバー１９０は、上連動部１８４と中連動部１８５の接続部１８７の近傍を覆う上部不正防止カバー１９１と、クリア部材保持枠開放操作部１７４ｅを覆う中央部不正防止カバー１９２と、下連動部１８６と中連動部１８５の接続部１８８や、錠１７５のカム１７５ｄ、カム１７５ｄと係合する第１カム係合部１８５ｃ、第２カム係合部１７４ｄなどを覆う下部不正防止カバー１９３とからなる。
【００５１】
上部不正防止カバー１９１は、上連動部１８４と中連動部１８５の接続部１８７における前面枠本体１３０の開放端側となる側方と、上下及び後方を覆うようになっている。これにより、上連動部１８４と中連動部１８５の接続部１８７は、上部不正防止カバー１９１とベース部材１６１の前壁部１６１ａ及び側壁部１６１ｂにより周囲が囲まれ、前面枠１２０と本体枠１１０の間などから不正に挿入された異物による操作ができないようになっている。
【００５２】
また、中央部不正防止カバー１９２はカバー部材１７６とともに、クリア部材保持枠開放操作部１７４ｅにおける前面枠本体１３０の開放端側となる側方と、上下及び後方を覆うようになっている。これにより、クリア部材保持枠開放操作部１７４ｅは、中央部不正防止カバー１９２とカバー部材１７６、ベース部材１６１の前壁部１６１ａ及び側壁部１６１ｂにより周囲が囲まれ、前面枠１２０と本体枠１１０の間などから不正に挿入された異物による操作ができないようになっている。なお、クリア部材保持枠開放操作部１７４ｅを操作する場合にはこの中央部不正防止カバー１９２を取り外して操作することで操作可能となる。
【００５３】
下部不正防止カバー１９３は、錠１７５のカム１７５ｄや、カム１７５ｄと係合する第１カム係合部１８５ｃ、第２カム係合部１７４ｄにおける前面枠本体１３０の開放端側となる側方と、上下及び後方を覆う第１周囲壁１９３ａを備えている。この第１周囲壁１９３ａとベース部材１６１の前壁部１６１ａ及び側壁部１６１ｂにより、錠１７５のカム１７５ｄ、カム１７５ｄと係合する第１カム係合部１８５ｃ、第２カム係合部１７４ｄの周囲が囲まれる。これにより前面枠１２０と本体枠１１０の間などから不正に挿入された異物による操作ができないようになっている。
【００５４】
また第１周囲壁１９３ａは、第１カム係合部１８５ｃ、第２カム係合部１７４ｄの下方に位置する下連動部１８６と中連動部１８５の接続部１８８における、前面枠本体１３０の開放端側となる側方と、上方及び後方の一部も覆うようになっている。これにより、下連動部１８６と中連動部１８５の接続部１８８が第１周囲壁１９３ａとベース部材１６１の前壁部１６１ａ及び側壁部１６１ｂにより周囲が囲まれ、前面枠１２０と本体枠１１０の間などから不正に挿入された異物による操作ができないようになっている。
【００５５】
また、第１周囲壁１９３ａにおける錠１７５のカム１７５ｄや、カム１７５ｄと係合する第１カム係合部１８５ｃ、第２カム係合部１７４ｄの上側を覆う上面であって、錠１７５の裏面上部に設けられたリセット操作部材１７５ｅの上方となる位置には、リセット操作部材１７５ｅを操作するための操作部１９３ｂが形成されている。
【００５６】
この操作部１９３ｂは、第１周囲壁１９３ａの上面における前端から後方へ向けて二本の平行な切り込みを形成することによって、後端のみが接続するように形成された板状の部分で、この接続部分を中心に上下に撓むようになっている。これにより、下部不正防止カバー１９３を取り付けた状態でもリセット操作部材１７５ｅを操作可能となる。
【００５７】
また、下部不正防止カバー１９３には、操作部１９３ｂが形成された第１周囲壁１９３ａの上面に対する前面枠本体１３０の開放端側となる側方と上方を覆うように、第２周囲壁１９３ｅが形成されている。そして、第２周囲壁１９３ｅと、ベース部材１６１の前壁部１６１ａ及び側壁部１６１ｂにより、操作部１９３ｂが形成された第１周囲壁１９３ａの上方に、後方から略指一本が挿入可能な操作空間１９３ｆが形成され、操作部１９３ｂの操作を可能とするとともに、不正な操作を防止するようになっている。
【００５８】
以上のような施錠装置１６０においては、錠１７５の鍵穴に所定の鍵を挿入し、時計回り方向に回せば本体枠１１０に対する前面枠１２０の係止が解除され、反時計回り方向に回せば前面枠本体１３０に対するクリア部材保持枠１４０の係止が解除される。また、前面枠本体１３０に対して開放した状態のクリア部材保持枠１４０を、前面枠本体１３０方向に押し込めば、クリア部材保持枠係止部１７４ｂがクリア部材保持枠１４０に設けられた被係合部を乗り越えて下側から係合し、自動的に施錠された状態となる。
【００５９】
さらに、以上のような施錠装置１６０においては、本体枠１１０に対して開放した状態の前面枠１２０を、本体枠１１０方向に押し込めば、上係合部材１８１、下係合部材１８２、上連動部１８４の係合部１８４ｂが、本体枠１１０に設けられた被係合部材１１１と係合し、自動的に施錠された状態となる。
【００６０】
本体枠１１０に対して前面枠１２０を開放した状態では、上係合部材１８１、下係合部材１８２、上連動部１８４に形成された係合部１８４ｂは、図示しない付勢部材によって付勢されて係合可能位置に位置するようになっている。この状態から前面枠１２０を本体枠１１０方向に回動させると、上係合部材１８１は、その後端の後端傾斜部１８１ｆが上被係合部材１１１ａの上端部の前端に当接する。また、上連動部１８４に形成された係合部１８４ｂの下端部は、中被係合部材１１１ｃの上端部の前端に形成された傾斜面１１１ｄ（図３に図示）に当接する。
【００６１】
さらに前面枠１２０を本体枠１１０方向に押し込むことで、上係合部材１８１と上被係合部材１１１ａとの接点は上係合部材１８１における前方へ移動するが、上係合部材１８１の後端に形成された後端傾斜部１８１ｆは前方へ向かって下る傾斜面であるため、上係合部材１８１は上方に回動する。また、上連動部１８４に形成された係合部１８４ｂは、中被係合部材１１１ｃに形成された傾斜面１１１ｄに沿って移動することで上方へ移動する。なお、上係合部材１８１と上連動部１８４は連動して動作するので、上係合部材１８１と上連動部１８４に形成された係合部１８４ｂは連動して上方へ動作する。ただし、伝達遮断機構をなす接続部１８７により、下係合部材１８２は連動して動作しないようにされている。また、上係合部材１８１は付勢部材によって係合可能位置となる方向に付勢されているので、上方への動作は付勢部材の付勢力に抗して動作することとなる。
【００６２】
上係合部材１８１の後端傾斜部１８１ｆの下端（前端）は受入開口部１８１ｄの後端１８１ｅに連続しており、上被係合部材１１１ａと後端傾斜部１８１ｆとの接点が後端傾斜部１８１ｆの下端（前端）を越えることで、受入開口部１８１ｄの後端１８１ｅが上被係合部材１１１ａの上端部よりも上側に達することとなる。すなわち、上係合部材１８１が非係合位置に達することとなる。これにより、受入開口部１８１ｄの後端１８１ｅが上被係合部材１１１ａの上端部を乗り越え、上被係合部材１１１ａの上端部の後端よりも後方に移動することが可能となる。またこのとき、上連動部１８４の係合部１８４ｂもその下端が中被係合部材１１１ｃの上端を乗り越え、中被係合部材１１１ｃの後端よりも後方に移動可能となる。
【００６３】
受入開口部１８１ｄの後端１８１ｅが上被係合部材１１１ａの上端部の後端よりも後方に移動すると、上被係合部材１１１ａが係合凹部１８１ａ内に導入可能となる。上係合部材１８１は付勢部材により係合可能位置となる方向へ付勢されているので、この状態となると、付勢部材の付勢力により上係合部材１８１が係合可能位置に戻り、係合凹部１８１ａ内に上被係合部材１１１ａが挿入された状態となる。すなわち、上係合部材１８１と上被係合部材１１１ａが係合した状態となる、また、上係合部材１８１が係合可能位置に戻ることで、係合部１８４ｂも係合可能位置に戻り、係合部１８４ｂと中被係合部材１１１ｃとが係合した状態となる。
【００６４】
下係合部材１８２においても上係合部材１８１と同様に、本体枠１１０に対して開放した状態の前面枠１２０を本体枠１１０方向に回動させることで、その後端に形成された前方へ向かって下る傾斜面１８２ｆが下被係合部材１１１ｂの上面部の前端に当接する。さらに前面枠１２０を本体枠１１０方向に押し込むことで、下係合部材１８２と下被係合部材１１１ｂとの接点は下係合部材１８２における前方へ移動し、下係合部材１８２は付勢部材の付勢力に抗して上方に回動する。そして、下被係合部材１１１ｂと傾斜面１８２ｆとの接点が傾斜面１８２ｆの下端（前端）を越えることで、受入開口部１８２ｄの後端１８２ｅが下被係合部材１１１ｂの上端部よりも上側に達する非係合位置となる。これにより、受入開口部１８２ｄの後端１８２ｅが下被係合部材１１１ｂの上端部を乗り越えて、下被係合部材１１１ｂの上端部の後端よりも後方に移動可能となる。下係合部材１８２は付勢部材により係合可能位置となる方向へ付勢されているので、受入開口部１８２ｄの後端１８２ｅが下被係合部材１１１ｂの上端部の後端よりも後方に移動すると、付勢部材の付勢力により下係合部材１８２が係合可能位置に戻り、係合凹部１８２ａ内に下被係合部材１１１ｂが挿入された状態となる。すなわち、下係合部材１８２と下被係合部材１１１ｂが係合した状態となる。
【００６５】
ここで、上係合部材１８１と下係合部材１８２は独立して（異なるタイミングで）被係合部材１１１と係合可能であるが、前面枠１２０を閉じる際には、遊技機１００の下隅部に設けられた図１に示すような操作ハンドル１５６の辺りを持って閉じることが多いため、前面枠１２０の閉鎖が不完全となる虞がある。すなわち、操作ハンドル１５６に近い下係合部材１８２に比べ、操作ハンドル１５６から離れた位置にある上係合部材１８１にかかる前面枠１２０の閉鎖方向の押圧力は弱くなるため、下係合部材１８２と下被係合部材１１１ｂとが係合しても、上係合部材１８１と上被係合部材１１１ａとの係合が不完全となる虞がある。このような前面枠１２０の不完全な閉鎖を防止するために、図８に示すように、上係合部材１８１に形成された係合凹部１８１ａの受入開口部１８１ｄの後端１８１ｅは、下係合部材１８２に形成された係合凹部１８２ａの受入開口部１８２ｄの後端１８２ｅよりも（図８に示すａの距離の分だけ）後方に位置するようになっている。なお、ここでは上係合部材１８１と係合する上被係合部材１１１ａの後端と、下係合部材１８２と係合する下被係合部材１１１ｂの後端は、同じ前後位置に配されている。
【００６６】
これにより、前面枠１２０を開放した状態における上係合部材１８１の受入開口部１８１ｄの後端１８１ｅと上被係合部材１１１ａの後端との前面枠１２０の閉鎖方向に沿った距離が、下係合部材１８２の受入開口部１８２ｄの後端１８２ｅと下被係合部材１１１ｂの後端との前面枠１２０の閉鎖方向に沿った距離よりも（図８に示すａの距離の分だけ）短くなる。よって、前面枠１２０を開放した状態から閉鎖する場合に、上係合部材１８１が下係合部材１８２よりも先に被係合部材１１１に係合するようになるので、上下両方の係合部材１８１，１８２が被係合部材１１１と確実に係合するようになる。
【００６７】
以上のことから、本体枠１１０と、該本体枠１１０の前面に前方へ回動可能に軸支された前面枠１２０を備える遊技機１００において、前面枠１２０の開放端側の裏面に係合手段（施錠装置１６０）を設けるとともに、本体枠１１０における係合手段と対向する位置に被係合部材１１１を設け、係合手段が被係合部材１１１に係合することで前面枠１２０の閉状態が維持されるように構成され、係合手段は、前面枠１２０に固定されるベース部材１６１と、ベース部材１６１に取り付けられ、鍵により解錠操作される錠１７５と、ベース部材１６１に回動可能に軸支されるとともに、一側端側に被係合部材１１１を受け入れる受入開口部１８１ｄ，１８２ｄを有する係合凹部１８１ａ，１８２ａを備え、該係合凹部１８１ａ，１８２ａが被係合部材１１１と係合可能な係合可能位置と、該係合凹部１８１ａ，１８２ａが被係合部材１１１と係合不能な非係合位置との間で回動する複数の係合部材１８１，１８２と、係合部材１８１，１８２の回動方向に沿って、該係合部材１８１，１８２を係合可能位置方向へ付勢する付勢手段と、錠１７５と複数の係合部材１８１，１８２とを接続するように配され、錠１７５の解錠操作に応じて全ての係合部材１８１，１８２を非係合位置に回動させる解錠伝達機構（連動部１８３）と、一の係合部材が操作されて非係合位置へ回動されても、他の係合部材が連動して非係合位置に回動しないようにする伝達遮断機構（接続部１８７，１８８）と、を備え、複数の係合部材１８１，１８２は、前面枠１２０の上部に位置する上係合部材１８１と、前面枠１２０の下部に位置する下係合部材１８２とを備え、被係合部材１１１は、上係合部材１８１と係合する上被係合部材１１１ａと、下係合部材１８２と係合する下被係合部材１１１ｂとを備え、前面枠１２０を開放した状態における、上係合部材１８１の受入開口部１８１ｄの後端１８１ｅと上被係合部材１１１ａの後端との前面枠１２０の閉鎖方向に沿った距離が、下係合部材１８２の受入開口部１８２ｄの後端１８２ｅと下被係合部材１１１ｂの後端との前面枠１２０の閉鎖方向に沿った距離よりも短くしたこととなる。
【００６８】
また、係合部材１８１，１８２は、上係合部材１８１の受入開口部１８１ｄの後端１８１ｅが、下係合部材１８２の受入開口部１８２ｄの後端１８２ｅよりも後側に位置するようにしたこととなる。
【００６９】
次に、上述した実施形態の第１変形例について図９を参照して説明する。なお、基本的には、上述の実施形態の遊技機と同様の構成を有しており、以下、主に異なる部分について説明する。本変形例の遊技機では、上被係合部材１１１ａの後端と、下被係合部材１１１ｂの後端の前後位置を異ならせている。なお、上係合部材１８１の係合凹部１８１ａにおける受入開口部１８１ｄの後端１８１ｅと、下係合部材１８２の係合凹部１８２ａにおける受入開口部１８２ｄの後端１８２ｅの前後位置は同じとされている。
【００７０】
このような構成とすることでも、前面枠１２０を開放した状態における上係合部材１８１の受入開口部１８１ｄの後端１８１ｅと上被係合部材１１１ａの後端との前面枠１２０の閉鎖方向に沿った距離を、下係合部材１８２の受入開口部１８２ｄの後端１８２ｅと下被係合部材１１１ｂの後端との前面枠１２０の閉鎖方向に沿った距離よりも（図９に示すｂの距離の分だけ）短くすることができる。よって、前面枠１２０を開放した状態から閉鎖する場合に、上係合部材１８１が下係合部材１８２よりも先に被係合部材１１１に係合するようになるので、上下両方の係合部材１８１，１８２が被係合部材１１１と確実に係合するようになる。
【００７１】
なお、上述の実施形態と組み合わせるようにしても良い。すなわち、上係合部材１８１の受入開口部１８１ｄの後端１８１ｅが、下係合部材１８２の受入開口部１８２ｄの後端１８２ｅよりも後側に位置するようにし、かつ、上被係合部材１１１ａの後端が下被係合部材１１１ｂの後端よりも前側に位置するようにしても良い。
【００７２】
以上のことから、被係合部材１１１は、上被係合部材１１１ａの後端が下被係合部材１１１ｂの後端よりも前側に位置するようにしたこととなる。
【００７３】
次に、上述した実施形態の第２変形例について図１０を参照して説明する。なお、基本的には、上述の実施形態の遊技機と同様の構成を有しており、以下、主に異なる部分について説明する。本変形例の遊技機における施錠装置２００では上係合部材１８１の係合凹部１８１ａに、嵌合溝１８１ｇ、傾斜面１８１ｈを形成している。なお、本変形例では、上係合部材１８１の受入開口部１８１ｄの後端１８１ｅを、下係合部材１８２の受入開口部１８２ｄの後端１８２ｅよりも後側に位置するようにし、上被係合部材１１１ａの後端と下被係合部材１１１ｂの後端との前後位置を同じにしている。
【００７４】
上述したように、前面枠１２０を開放した状態における上係合部材１８１の受入開口部１８１ｄの後端１８１ｅと上被係合部材１１１ａの後端との前面枠１２０の閉鎖方向に沿った距離は、下係合部材１８２の受入開口部１８２ｄの後端１８２ｅと下被係合部材１１１ｂの後端との前面枠１２０の閉鎖方向に沿った距離よりも短くされている。よって、前面枠１２０を閉鎖した状態において、上係合部材１８１の受入開口部１８１ｄの後端１８１ｅと上被係合部材１１１ａの後端との間に隙間が生じ、係合凹部１８１ａ内で上被係合部材１１１ａがわずかに前後動可能となる。そこで、係合凹部１８１ａに嵌合部１８１ｇ、傾斜面１１１ｈを形成し、係合凹部１８１ａで上被係合部材１１１ａを固定するようにしている。
【００７５】
本変形例における上係合部材１８１は、係合可能位置にある場合に、下側に開口する係合凹部１８１ａにおける上辺が上被係合部材１１１ａの上端よりも下側に位置するように配されている。そして、この係合凹部１８１ａの上辺に、下側に開口する切欠き状の嵌合溝１８１ｇが形成されている。この嵌合溝１８１ｇは、上被係合部材１１１ａの上端部を嵌合可能な形状であって、その後端は、下係合部材１８２に形成された係合凹部１８２ａの受入開口部１８２ｄの後端１８２ｅと同じ前後位置に形成されている。すなわち、上被係合部材１１１ａの後端と下被係合部材１１１ｂの後端の前後位置は同じであり、嵌合溝１８１ｇに上被係合部材１１１ａが嵌合した際には、下係合部材１８２と下被係合部材１１１ｂも係合した状態となるようになっている。
【００７６】
また、係合凹部１８１ａにおける受入開口部１８１ｄの後端から嵌合溝１８１ｇの後端にかけての内周面に、前方へ向かって上る傾斜面１８１ｈが形成されている。この傾斜面１８１ｈによって、係合凹部１８１ａの受入開口部１８１ｄの後端１８１ｅを越えて係合凹部１８１ａに導入された上被係合部材１１１ａが嵌合溝１８１ｇへ案内され、上係合部材１８１と上被係合部材１１１ａが確実に係合するようになっている。
【００７７】
さらに、この傾斜面１８１ｈによって、下係合部材１８２と下被係合部材１１１ｂとの係合が補助されるようになっている。すなわち、上係合部材１８１における係合凹部１８１ａの受入開口部１８１ｄの後端１８１ｅは、下係合部材１８２における係合凹部１８２ａの受入開口部１８２ｄの後端１８２ｅよりも後方に位置するので、上被係合部材１１１ａが受入開口部１８１ｄの後端１８１ｅを越えた時点では、いまだ下係合部材１８２と下被係合部材１１１ｂの係合は完了していない。このときに傾斜面１８１ｈによって上被係合部材１１１ａが嵌合溝１８１ｇへ誘導されることで、前面枠１２０が本体枠１１０側へ誘導されるので、下係合部材１８２と下被係合部材１１１ｂとの係合が補助される。このような嵌合溝１８１ｇ、傾斜面１８１ｈを備えることで、係合凹部１８１ａ内で上被係合部材１１１ａが固定され、前面枠１２０の閉鎖状態が確実に維持されるようになる。なお、上述の第１変形例と組み合わせても良い。
【００７８】
以上のことから、上係合部材１８１の係合凹部１８１ａは、前面枠１２０を閉鎖した状態で上被係合部材１１１ａが位置する部分に、該上被係合部材１１１ａと嵌合する嵌合溝１８１ｇを備えるとともに、嵌合溝１８１ｇよりも後側の内周面が、受入開口部１８１ｄから嵌合溝１８１ｇへ上被係合部材１１１ａを誘導する傾斜面１８１ｈとされていることとなる。
【００７９】
次に、上述した実施形態の第３変形例について図１１を参照して説明する。なお、基本的には、上述の実施形態の遊技機と同様の構成を有しており、以下、主に異なる部分について説明する。本変形例の遊技機は、本体枠１１０の上部に、前面枠１２０を閉鎖した状態で該前面枠１２０の上部を覆うように前方へ延出する不正防止部１１２を形成している。なお、本変形例では、上係合部材１８１の受入開口部１８１ｄの後端１８１ｅを、下係合部材１８２の受入開口部１８２ｄの後端１８２ｅよりも後側に位置するようにし、上被係合部材１１１ａの後端と下被係合部材１１１ｂの後端との前後位置を同じにしている。
【００８０】
上述したように、前面枠１２０を開放した状態における上係合部材１８１の受入開口部１８１ｄの後端１８１ｅと上被係合部材１１１ａの後端との前面枠１２０の閉鎖方向に沿った距離は、下係合部材１８２の受入開口部１８２ｄの後端１８２ｅと下被係合部材１１１ｂの後端との前面枠１２０の閉鎖方向に沿った距離よりも短くされている。よって、前面枠１２０を閉鎖した状態において、上係合部材１８１の受入開口部１８１ｄの後端１８１ｅと上被係合部材１１１ａの後端との間に隙間（図１１に示すｄの距離）が生じ、係合凹部１８１ａ内で上被係合部材１１１ａがわずかに前後動可能となる。このため、例えば、外部から前面枠１２０を開放する方向に力が加わった場合に、本体枠１１０に対して前面枠１２０の上部が前側にずれて隙間ができる虞がある。そこで、本体枠１１０の上部に、前面枠１２０を閉鎖した状態で該前面枠１２０の上部を覆うように前方へ延出する不正防止部１１２を形成している。
【００８１】
この不正防止部１１２は、その延出幅（図１１に示すｅの距離）が前面枠１２０を閉鎖した状態における、上係合部材１８１の受入開口部１８１ｄの後端１８１ｅと上被係合部材１１１ａの後端との前面枠１２０の閉鎖方向に沿った間隔（図１１に示すｄの距離）よりも広くされている。これにより、本体枠１１０と前面枠１２０の間に隙間ができてもこれを覆うことができ、この隙間から不正部材を挿入するような不正行為を防止できる。なお、上述の第１変形例、第２変形例と組み合わせても良い。
【００８２】
以上のことから、本体枠１１０の上部に、前面枠１２０を閉鎖した状態で該前面枠１２０の上部を覆うように前方へ延出する不正防止部１１２を形成し、該不正防止部１１２の延出幅が、前面枠１２０を閉鎖した状態における、上係合部材１８１の受入開口部１８１ｄの後端１８１ｅと上被係合部材１１１ａの後端との前面枠１２０の閉鎖方向に沿った間隔よりも広いこととなる。
【００８３】
次に、上述した実施形態の第４変形例について図１２を参照して説明する。なお、基本的には、上述の実施形態の遊技機と同様の構成を有しており、以下、主に異なる部分について説明する。本変形例の遊技機における施錠装置２１０では、係合可能位置での上係合部材１８１における係合凹部１８１ａの受入開口部１８１ｄの後端１８１ｅと、上被係合部材１１１ａの上端との距離が、係合可能位置での下係合部材１８２における係合凹部１８２ａの受入開口部１８２ｄの後端１８２ｅと、下被係合部材１１１ｂの上端との距離よりも短くなるようにされている。なお、本変形例では、上係合部材１８１の受入開口部１８１ｄの後端１８１ｅと、下係合部材１８２の受入開口部１８２ｄの後端１８２ｅとの前後位置を同じにしている。また、上被係合部材１１１ａの後端と下被係合部材１１１ｂの後端との前後位置を同じにしている。
【００８４】
本変形例における上係合部材１８１の係合凹部１８１ａにおける受入開口部１８１ｄの後端１８１ｅから上辺までの距離は、下係合部材１８２の係合凹部１８２ａにおける受入開口部１８２ｄの後端１８２ｅから上辺までの距離よりも短くなるように形成されている。そして、上係合部材１８１は、係合可能位置にある場合に、下側に開口する係合凹部１８１ａにおける上辺が上被係合部材１１１ａの上端と同じ上下位置にあるように配されている。また、下係合部材１８２は、係合可能位置にある場合に、下側に開口する係合凹部１８２ａにおける上辺が下被係合部材１１１ｂの上端と同じ上下位置にあるように配されている。これにより、係合可能位置での上係合部材１８１における係合凹部１８１ａの受入開口部１８１ｄの後端１８１ｅと、上被係合部材１１１ａの上端との距離（図１２に示すｆの距離）が、係合可能位置での下係合部材１８２における係合凹部１８２ａの受入開口部１８２ｄの後端１８２ｅと、下被係合部材１１１ｂの上端との距離（図１２に示すｇの距離）よりも短くなる。
【００８５】
このような構成とすることで、上係合部材１８１の係合可能位置から非係合位置までの回動角度を、下係合部材１８２の係合可能位置から非係合位置までの回動角度よりも小さくすることができる。よって、上係合部材１８１の方が下係合部材１８２よりも係合が容易となるので、確実に前面枠１２０を閉鎖できる。
【００８６】
なお、上係合部材１８１の構成を変更することで係合可能位置から非係合位置までの回動角度を小さくするようにしたが、上係合部材１８１の構成を変更せずに、上係合部材１８１の配設位置を変更する（上側へずらす）ことで回動角度を小さくするようにしても良い。また、上述の第１から第３変形例と組み合わせても良い。
【００８７】
以上のことから、本体枠１１０と、該本体枠１１０の前面に前方へ回動可能に軸支された前面枠１２０を備える遊技機１００であって、前面枠１２０の開放端側の裏面に係合手段（施錠装置１６０）を設けるとともに、本体枠１１０における係合手段と対向する位置に被係合部材１１１を設け、係合手段が被係合部材１１１に係合することで前面枠１２０の閉状態が維持されるように構成され、係合手段は、前面枠１２０に固定されるベース部材１６１と、ベース部材１６１に取り付けられ、鍵により解錠操作される錠１７５と、ベース部材１６１に回動可能に軸支されるとともに、一側端側に被係合部材１１１を受け入れる受入開口部１８１ｄ，１８２ｄを有する係合凹部１８１ａ，１８２ａを備え、該係合凹部１８１ａ，１８２ａが被係合部材１１１と係合可能な係合可能位置と、該係合凹部１８１ａ，１８２ａが被係合部材１１１と係合不能な非係合位置との間で回動する複数の係合部材１８１，１８２と、係合部材１８１，１８２の回動方向に沿って、該係合部材１８１，１８２を係合可能位置方向へ付勢する付勢手段と、錠１７５と複数の係合部材１８１，１８２とを接続するように配され、錠１７５の解錠操作に応じて全ての係合部材１８１，１８２を非係合位置に回動させる解錠伝達機構（連動部１８３）と、一の係合部材が操作されて非係合位置へ回動されても、他の係合部材が連動して非係合位置に回動しないようにする伝達遮断機構（接続部１８７，１８８）と、を備え、複数の係合部材１８１，１８２は、前面枠１２０の上部に位置する上係合部材１８１と、前面枠１２０の下部に位置する下係合部材１８２とを備え、被係合部材１１１は、上係合部材１８１と係合する上被係合部材１１１ａと、下係合部材１８２と係合する下被係合部材１１１ｂとを備え、上係合部材１８１の係合可能位置から非係合位置までの回動角度が、下係合部材１８２の係合可能位置から非係合位置までの回動角度よりも小さくしたこととなる。
【００８８】
次に、上述した実施形態の第５変形例について説明する。なお、基本的には、上述の実施形態の遊技機と同様の構成を有しており、以下、主に異なる部分について説明する。上述したように、上係合部材１８１、下係合部材１８２はそれぞれ、付勢部材によって係合可能位置となる方向に付勢されているが、本変形例の遊技機における施錠装置では、上係合部材１８１の付勢部材の付勢力を下係合部材１８２の付勢部材の付勢力よりも弱くしている。
【００８９】
このような構成とすることで、上係合部材１８１と上被係合部材１１１ａとが係合するために上係合部材１８１を非係合位置へ変換するために必要な力が、下係合部材１８２と下被係合部材１１１ｂとが係合するために下係合部材１８２を非係合位置へ変換するために必要な力よりも弱くて済む。よって、上係合部材１８１の方が下係合部材１８２よりも係合が容易となるので、確実に前面枠１２０を閉鎖できる。なお、上述の第１から第４変形例と組み合わせても良い。
【００９０】
以上のことから、上係合部材１８１の付勢部材の付勢力が、下係合部材１８２の付勢部材の付勢力よりも弱いこととなる。
【００９１】
以上のような遊技機１００は、本体枠１１０と、該本体枠１１０の前面に前方へ回動可能に軸支された前面枠１２０を備える遊技機１００であって、前面枠１２０の開放端側の裏面に係合手段（施錠装置１６０）を設けるとともに、本体枠１１０における係合手段と対向する位置に被係合部材１１１を設け、係合手段が被係合部材１１１に係合することで前面枠１２０の閉状態が維持されるように構成され、係合手段は、前面枠１２０に固定されるベース部材１６１と、ベース部材１６１に取り付けられ、鍵により解錠操作される錠１７５と、ベース部材１６１に回動可能に軸支されるとともに、一側端側に被係合部材１１１を受け入れる受入開口部１８１ｄ，１８２ｄを有する係合凹部１８１ａ，１８２ａを備え、該係合凹部１８１ａ，１８２ａが被係合部材１１１と係合可能な係合可能位置と、該係合凹部１８１ａ，１８２ａが被係合部材１１１と係合不能な非係合位置との間で回動する複数の係合部材１８１，１８２と、係合部材１８１，１８２の回動方向に沿って、該係合部材１８１，１８２を係合可能位置方向へ付勢する付勢手段と、錠１７５と複数の係合部材１８１，１８２とを接続するように配され、錠１７５の解錠操作に応じて全ての係合部材１８１，１８２を非係合位置に回動させる解錠伝達機構（連動部１８３）と、一の係合部材が操作されて非係合位置へ回動されても、他の係合部材が連動して非係合位置に回動しないようにする伝達遮断機構（接続部１８７，１８８）と、を備え、複数の係合部材１８１，１８２は、前面枠１２０の上部に位置する上係合部材１８１と、前面枠１２０の下部に位置する下係合部材１８２とを備え、被係合部材１１１は、上係合部材１８１と係合する上被係合部材１１１ａと、下係合部材１８２と係合する下被係合部材１１１ｂとを備え、前面枠１２０を開放した状態における、上係合部材１８１の受入開口部１８１ｄの後端１８１ｅと上被係合部材１１１ａの後端との前面枠１２０の閉鎖方向に沿った距離が、下係合部材１８２の受入開口部１８２ｄの後端１８２ｅと下被係合部材１１１ｂの後端との前面枠１２０の閉鎖方向に沿った距離よりも短い。
【００９２】
したがって、前面枠１２０を開放した状態における、上係合部材１８１の受入開口部１８１ｄの後端１８１ｅと、該上係合部材１８１と係合する上被係合部材１１１ａの後端との前面枠１２０の閉鎖方向に沿った距離が、下係合部材１８２の受入開口部１８２ｄの後端１８２ｅと、該下係合部材１８２と係合する下被係合部材１１１ｂの後端との前面枠１２０の閉鎖方向に沿った距離よりも短いので、上係合部材１８１が下係合部材１８２よりも先に係合するようになり、前面枠１２０の下隅部に設けられる操作ハンドル１５６辺りを持って閉鎖しても確実に閉鎖できる。
【００９３】
また、係合部材１８１，１８２は、上係合部材１８１の受入開口部１８１ｄの後端１８１ｅが、下係合部材１８２の受入開口部１８２ｄの後端１８２ｅよりも後側に位置するようにしている。
【００９４】
したがって、係合部材１８１，１８２は、上係合部材１８１の受入開口部１８１ｄの後端１８１ｅが、下係合部材１８２の受入開口部１８２ｄの後端１８２ｅよりも後側に位置するので、上係合部材１８１が下係合部材１８２よりも先に係合するようになり、前面枠１２０の下隅部に設けられる操作ハンドル１５６辺りを持って閉鎖しても確実に閉鎖できる。
【００９５】
また、上係合部材１８１の係合凹部１８１ａは、前面枠１２０を閉鎖した状態で上被係合部材１１１ａが位置する部分に、該上被係合部材１１１ａと嵌合する嵌合溝１８１ｇを備えるとともに、嵌合溝１８１ｇよりも後側の内周面が、受入開口部１８１ｄから嵌合溝１８１ｇへ上被係合部材１１１ａを誘導する傾斜面１８１ｈとされている。
【００９６】
したがって、上係合部材１８１の係合凹部１８１ａは、前面枠１２０を閉鎖した状態で上被係合部材１１１ａが位置する部分に嵌合溝１８１ｇを備え、嵌合溝１８１ｇよりも後側の内周面が受入開口部１８１ｄから嵌合溝１８１ｇへ上被係合部材１１１ａを誘導する傾斜面１８１ｈとされているので、前面枠１２０を確実に閉鎖できる。すなわち、傾斜面１８１ｈに沿って上被係合部材１１１ａが案内されるので、上係合部材１８１が完全に閉鎖されていない状態でも、自動的に完全に閉鎖した状態となる。また、上被係合部材１１１ａが嵌合溝１８１ｇに嵌ることで、前面枠１２０の閉鎖状態が確実に維持される。
【００９７】
また、被係合部材１１１は、上被係合部材１１１ａの後端が下被係合部材１１１ｂの後端よりも前側に位置するようにしている。
【００９８】
したがって、上被係合部材１１１ａの後端が下被係合部材１１１ｂの後端よりも前側に位置するので、上係合部材１８１が下係合部材１８２よりも先に係合するようになり、前面枠１２０の下隅部に設けられる操作ハンドル１５６辺りを持って閉鎖しても確実に閉鎖できる。
【００９９】
また、本体枠１１０の上部に、前面枠１２０を閉鎖した状態で該前面枠１２０の上部を覆うように前方へ延出する不正防止部１１２を形成し、該不正防止部１１２の延出幅が、前面枠１２０を閉鎖した状態における、上係合部材１８１の受入開口部１８１ｄの後端１８１ｅと上被係合部材１１１ａの後端との前面枠１２０の閉鎖方向に沿った間隔よりも広い。
【０１００】
したがって、不正防止部１１２の延出幅が、前面枠１２０を閉鎖した状態における、上係合部材１８１の受入開口部１８１ｄの後端１８１ｅと上被係合部材１１１ａの後端との前面枠１２０の閉鎖方向に沿った間隔よりも広いので、不正行為を防止できる。すなわち、上係合部材１８１が先に係合する構成としたことで、前面枠１２０を閉鎖した状態では、上係合部材１８１と上被係合部材１１１ａとの間隔が、下係合部材１８２と下被係合部材１１１ｂとの間隔よりも広い間隔となる。よって、例えば、外部から力が加わった場合に、本体枠１１０に対して前面枠１２０の上部が最大で上係合部材１８１と上被係合部材１１１ａとの間隔の分だけ隙間ができる虞がある。しかし、不正防止部１１２を設けるとともに、その延出幅を、上係合部材１８１と上被係合部材１１１ａとの間隔よりも広くすることで、たとえ隙間ができてもこれを覆うことができ、不正行為を防止できる。
【０１０１】
また、本体枠１１０と、該本体枠１１０の前面に前方へ回動可能に軸支された前面枠１２０を備える遊技機１００であって、前面枠１２０の開放端側の裏面に係合手段（施錠装置１６０）を設けるとともに、本体枠１１０における係合手段と対向する位置に被係合部材１１１を設け、係合手段が被係合部材１１１に係合することで前面枠１２０の閉状態が維持されるように構成され、係合手段は、前面枠１２０に固定されるベース部材１６１と、ベース部材１６１に取り付けられ、鍵により解錠操作される錠１７５と、ベース部材１６１に回動可能に軸支されるとともに、一側端側に被係合部材１１１を受け入れる受入開口部１８１ｄ，１８２ｄを有する係合凹部１８１ａ，１８２ａを備え、該係合凹部１８１ａ，１８２ａが被係合部材１１１と係合可能な係合可能位置と、該係合凹部１８１ａ，１８２ａが被係合部材１１１と係合不能な非係合位置との間で回動する複数の係合部材１８１，１８２と、係合部材１８１，１８２の回動方向に沿って、該係合部材１８１，１８２を係合可能位置方向へ付勢する付勢手段と、錠１７５と複数の係合部材１８１，１８２とを接続するように配され、錠１７５の解錠操作に応じて全ての係合部材１８１，１８２を非係合位置に回動させる解錠伝達機構（連動部１８３）と、一の係合部材が操作されて非係合位置へ回動されても、他の係合部材が連動して非係合位置に回動しないようにする伝達遮断機構（接続部１８７，１８８）と、を備え、複数の係合部材１８１，１８２は、前面枠１２０の上部に位置する上係合部材１８１と、前面枠１２０の下部に位置する下係合部材１８２とを備え、被係合部材１１１は、上係合部材１８１と係合する上被係合部材１１１ａと、下係合部材１８２と係合する下被係合部材１１１ｂとを備え、上係合部材１８１の係合可能位置から非係合位置までの回動角度が、下係合部材１８２の係合可能位置から非係合位置までの回動角度よりも小さい。
【０１０２】
したがって、複数の係合部材１８１，１８２は、一の係合部材が操作されて非係合位置へ回動されても、他の係合部材が連動して非係合位置に回動しないようにする伝達遮断機構を備え、上係合部材１８１の係合可能位置から非係合位置までの回動角度が、下係合部材１８２の係合可能位置から非係合位置までの回動角度よりも小さいので、確実に前面枠１２０を閉鎖できる。すなわち、前面枠１２０の下隅部に設けられる操作ハンドル１５６辺りをもって閉鎖ようにすると、上係合部材１８１にかかる閉鎖方向の力が下係合部材１８２にかかる閉鎖方向の力よりも弱くなることがあるが、上係合部材１８１においては、係合に必要な回動角度が少なくて済み、下係合部材１８２よりも係合が容易となるので、確実に前面枠１２０を閉鎖できる。
【０１０３】
また、上係合部材１８１の付勢部材の付勢力が、下係合部材１８２の付勢部材の付勢力よりも弱い。
【０１０４】
したがって、上係合部材１８１の付勢部材の付勢力が、下係合部材１８２の付勢部材の付勢力よりも弱いので、確実に前面枠１２０を閉鎖できる。すなわち、前面枠１２０の下隅部に設けられる操作ハンドル１５６辺りをもって閉鎖ようにすると、上係合部材１８１にかかる閉鎖方向の力が下係合部材１８２にかかる閉鎖方向の力よりも弱くなることがあるが、上係合部材１８１においては、係合に必要な力が少なくて済み、下係合部材１８２よりも係合が容易となるので、確実に前面枠１２０を閉鎖できる。
【０１０５】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１０６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１００    遊技機
１１０    本体枠
１１１    被係合部材
１１１ａ  上被係合部材
１１１ｂ  下被係合部材
１１２    不正防止部
１２０    前面枠
１５６    操作ハンドル
１６０    施錠装置（係合手段）
１６１    ベース部材
１７５    錠
１８１    上係合部材
１８１ａ  係合凹部
１８１ｄ  受入開口部
１８１ｅ  後端
１８１ｇ  嵌合溝
１８１ｈ  傾斜面
１８２    下係合部材
１８３    連動部（解錠伝達機構）
１８７    接続部（伝達遮断機構）
１８８    接続部（伝達遮断機構）
【図１】
2011235138.tif 000003
【図２】
2011235138.tif 000004
【図３】
2011235138.tif 000005
【図４】
2011235138.tif 000006
【図５】
2011235138.tif 000007
【図６】
2011235138.tif 000008
【図７】
2011235138.tif 000009
【図８】
2011235138.tif 000010
【図９】
2011235138.tif 000011
【図１０】
2011235138.tif 000012
【図１１】
2011235138.tif 000013
【図１２】
2011235138.tif 000014